(57)【要約】  熱交換換気装置（１００）は、筐体（１）のうち板部（１ｄ）の側の端部に装着され、筐体（１）の姿勢が板部（１ａ）を上方へ向けた第１の姿勢であるときに板部（１ａ）と向かい合う構造物から吊り下げられている部品に固定可能に突出された第１の固定部である固定部（５１ａ）と、筐体（１）の姿勢が板部（１ｄ）を上方へ向けた第２の姿勢であるときに板部（１ａ）と向かい合う構造物に取り付けられている部品に掛け合わせ可能に突出された掛け合わせ部と、を有する第１の取付金具（５０）と、筐体（１）のうち第１の板部の側の端部に装着され、筐体（１）の姿勢が第１の姿勢であるときに板部（１ａ）と向かい合う構造物から吊り下げられている部品に固定可能に突出された第２の固定部である固定部を有する第２の取付金具および第３の取付金具と、を備える。
2019234873.tif 000002
【特許請求の範囲】
【請求項１】
給気流と排気流との熱交換を行う熱交換換気装置であって、
給気吸込口と排気吹出口とが設けられた第１の板部と、給気吹出口と排気吸込口とが設けられた第２の板部と、前記給気吸込口から前記給気吹出口へ向かう前記給気流の経路である給気風路と前記排気吸込口から前記排気吹出口へ向かう前記排気流の経路である排気風路とを構成するとともに互いに向かい合う第３の板部および第４の板部と、を有する筐体と、
前記筐体の姿勢が前記第３の板部を上方へ向けた第１の姿勢であるときに前記第３の板部と向かい合う構造物から吊り下げられている部品に固定可能に突出された第１の固定部と、前記筐体の姿勢が前記第２の板部を上方へ向けた第２の姿勢であるときに前記第３の板部と向かい合う構造物に取り付けられている部品に掛け合わせ可能に突出された掛け合わせ部と、を有する第１の取付金具と、
前記第１の取付金具よりも前記第１の板部の側に装着され、前記筐体の姿勢が前記第１の姿勢であるときに前記第３の板部と向かい合う構造物から吊り下げられている部品に固定可能に突出された第２の固定部を有する第２の取付金具および第３の取付金具と、
を備えることを特徴とする熱交換換気装置。
【請求項２】
前記筐体は、前記第１の板部と前記第３の板部とに垂直かつ互いに向かい合う第５の板部と第６の板部とを有し、
前記第１の取付金具は、２つの前記第１の固定部を有し、２つの前記第１の固定部のうちの一方が前記第５の板部に対し垂直に立てられており、かつ２つの前記第１の固定部のうちの他方が前記第６の板部に対し垂直に立てられており、
前記第２の取付金具は、前記第５の板部に対し垂直に立てられた前記第２の固定部を有し、
前記第３の取付金具は、前記第６の板部に対し垂直に立てられた前記第２の固定部を有することを特徴とする請求項１に記載の熱交換換気装置。
【請求項３】
前記第５の板部に対して垂直に立てられ、前記筐体の姿勢が前記第１の姿勢であるときに前記筐体の外へドレン水を排出させる第１の排水口と、
前記第２の板部に対して垂直に立てられ、前記筐体の姿勢が前記第２の姿勢であるときに前記筐体の外へドレン水を排出させる第２の排水口と、
を備えることを特徴とする請求項２に記載の熱交換換気装置。
【請求項４】
前記掛け合わせ部は、前記筐体が前記第２の姿勢である状態にて前記第２の板部の高さからいったん上方へ延びてから下方へ向かうように折り曲げられており、かつ前記第３の板部に対して傾斜をなしていることを特徴とする請求項１から３のいずれか１つに記載の熱交換換気装置。
【請求項５】
前記掛け合わせ部には、前記第３の板部と向かい合う構造物に取り付けられた前記部品に設けられている孔へ挿入される凸部が設けられており、
前記凸部は、前記凸部の先端へ向かうにしたがい幅が狭くなるテーパ形状をなしていることを特徴とする請求項１から４のいずれか１つに記載の熱交換換気装置。
【発明の詳細な説明】
【技術分野】
【０００１】
本発明は、給気流と排気流との熱交換を行いながら換気を行う熱交換換気装置に関する。
【背景技術】
【０００２】
住宅などの天井に設置される熱交換換気装置は、一般に、鉛直方向の寸法を抑えるために、給気送風機と熱交換器と排気送風機が水平方向へ並んだ水平設置とされる。熱交換換気装置は、室内の壁面に設置される場合には、給気送風機と熱交換器と排気送風機とが鉛直方向へ並んだ垂直設置とされることがある。【０００３】
特許文献１には、熱交換換気装置の筐体に取り付けられた取付金具によって室内の壁面に固定されて垂直設置される熱交換換気装置が開示されている。取付金具は、筐体を構成する２つの側面に取り付けられる。
【先行技術文献】
【特許文献】
【０００４】
【特許文献１】特開２００５−１０６４４３号公報
【発明の概要】
【発明が解決しようとする課題】
【０００５】
従来、熱交換換気装置の筐体内へ取り込まれた空気に含まれる水分が凝縮することによって生じるドレン水の漏れ出しを防ぐために、熱交換換気装置には、ドレン水を保持するドレン受けが設けられる。ドレン水は、ドレン受けに溜められてから、筐体に設けられている排水口を通って筐体の外へ排出される。ドレン受けから排水口へのドレン水の流れを促すために、排水口へ向かうにしたがい下り勾配となるように筐体が傾けられることがある。【０００６】
上記の特許文献１に開示される熱交換換気装置は、筐体の下面に設けられたドレン受けと、ドレン受けの側部に設けられドレン水を排出するための配管とを有する。特許文献１の熱交換換気装置の場合、筐体が傾けられた状態で設置するには、取付金具によって壁面に筐体を固定するときに筐体の傾き調整を行う必要がある。筐体を固定する際に筐体の傾き調整を行うことは困難であるため、特許文献１の熱交換換気装置では、ドレン水の排出を促すための調整によって設置の際の施工性が低下するという問題があった。【０００７】
熱交換換気装置は、水平設置と垂直設置とが選択可能となることで、設置態様の自由度を高めることが可能となる。熱交換換気装置は、部品点数を少なくするとともに高い自由度での設置を可能とするために、共通の取付金具によって水平設置と垂直設置とが可能であることが望まれる。また、熱交換換気装置は、水平設置と垂直設置とのどちらが選択された場合も、ドレン水の排出を促すことができる設置を容易に実現できることが望まれる。【０００８】
本発明は、上記に鑑みてなされたものであって、水平設置と垂直設置とのどちらが選択された場合もドレン水の排出を促すことができる設置を容易に実現可能とする熱交換換気装置を得ることを目的とする。
【課題を解決するための手段】
【０００９】
上述した課題を解決し、目的を達成するために、本発明にかかる熱交換換気装置は、給気流と排気流との熱交換を行う。本発明にかかる熱交換換気装置は、給気吸込口と排気吹出口とが設けられた第１の板部と、給気吹出口と排気吸込口とが設けられた第２の板部と、給気吸込口から給気吹出口へ向かう給気流の経路である給気風路と排気吸込口から排気吹出口へ向かう排気流の経路である排気風路とを構成するとともに互いに向かい合う第３の板部および第４の板部と、を有する筐体を備える。本発明にかかる熱交換換気装置は、筐体の姿勢が第３の板部を上方へ向けた第１の姿勢であるときに第３の板部と向かい合う構造物から吊り下げられている部品に固定可能に突出された第１の固定部と、筐体の姿勢が第２の板部を上方へ向けた第２の姿勢であるときに第３の板部と向かい合う構造物に取り付けられている部品に掛け合わせ可能に突出された掛け合わせ部と、を有する第１の取付金具と、第１の取付金具よりも第１の板部の側に装着され、筐体の姿勢が第１の姿勢であるときに第３の板部と向かい合う構造物から吊り下げられている部品に固定可能に突出された第２の固定部を有する第２の取付金具および第３の取付金具と、を備える。
【発明の効果】
【００１０】
本発明にかかる熱交換換気装置は、水平設置と垂直設置とのどちらが選択された場合もドレン水の排出を促すことができる設置を容易に実現できるという効果を奏する。
【図面の簡単な説明】
【００１１】
【図１】本発明の実施の形態１にかかる熱交換換気装置の構成を示す図
【図２】図１に示す熱交換換気装置を示す第１の平面図
【図３】図１に示す熱交換換気装置を示す第２の平面図
【図４】図１に示す熱交換換気装置が有する風路について説明する図
【図５】図１に示す熱交換換気装置が有する熱交換器の配置について説明する図
【図６】図１に示す熱交換換気装置が有する熱交換器の第１例を示す斜視図
【図７】図１に示す熱交換換気装置が有する熱交換器の第２例を示す斜視図
【図８】図３に示すVIII−VIII線における熱交換換気装置の断面図
【図９】図８に示す熱交換換気装置が垂直設置で配置された状態を示す図
【図１０】図１に示す熱交換換気装置が有する第１の取付金具を示す斜視図
【図１１】図１０に示す第１の取付金具のうち第５の板部の側の部分を示す拡大図
【図１２】図１０に示す第１の取付金具のうち第６の板部の側の部分を示す拡大図
【図１３】図１に示す熱交換換気装置が有する第２の取付金具および第３の取付金具を示す斜視図
【図１４】図１に示す熱交換換気装置が天吊りによって設置された状態を示す正面図
【図１５】図１に示す熱交換換気装置が壁掛けによって設置された状態を示す側面図
【発明を実施するための形態】
【００１２】
以下に、本発明の実施の形態にかかる熱交換換気装置を図面に基づいて詳細に説明する。なお、この実施の形態によりこの発明が限定されるものではない。
【００１３】
実施の形態１．
図１は、本発明の実施の形態１にかかる熱交換換気装置１００の構成を示す図である。図２は、図１に示す熱交換換気装置１００を示す第１の平面図である。図３は、図１に示す熱交換換気装置１００を示す第２の平面図である。熱交換換気装置１００は、排気流と給気流との熱交換を行いながら換気を行うことが可能な装置である。図１には、分解された状態における熱交換換気装置１００の斜視図を示している。
【００１４】
熱交換換気装置１００は、水平設置と垂直設置とのどちらも可能とされている。熱交換換気装置１００は、天井へ設置される場合、水平設置とされる。熱交換換気装置１００は、壁面に掛けられて設置される壁掛けとされる場合、垂直設置とされる。図２には、水平設置とされた熱交換換気装置１００を下方から見た場合の構成を示している。図３には、水平設置とされた熱交換換気装置１００を前方から見た場合の構成を示している。
【００１５】
熱交換換気装置１００は、室外から室内への給気と室内から室外への排気とにより室内を換気することで、室内の快適な空気環境を維持する。また、熱交換換気装置１００は、給気流と排気流との熱交換により、室内へ取り込まれる空気と室内の空気との温度差を小さくして、室内の空調負担を低減させる。
【００１６】
熱交換換気装置１００は、給気流を発生させる給気送風機２と、排気流を発生させる排気送風機３と、給気流と排気流との熱交換を行う熱交換器４と、給気送風機２と排気送風機３と熱交換器４とが収容された筐体１とを備える。給気送風機２は、室外の空気を筐体１内へ取り込み、筐体１内へ取り込まれた空気を室内へ送る。排気送風機３は、室内の空気を筐体１内へ取り込み、筐体１内へ取り込まれた空気を室外へ送る。筐体１には、給気流が通過する給気風路と排気流が通過する排気風路とが設けられている。
【００１７】
熱交換換気装置１００が水平設置で設置される場合、給気送風機２と熱交換器４と排気送風機３とは水平方向へ並ぶ。熱交換換気装置１００が垂直設置で設置される場合、給気送風機２と熱交換器４と排気送風機３とは鉛直方向へ並ぶ。以下の説明では、熱交換換気装置１００が水平設置で設置されるときの筐体１の姿勢を第１の姿勢、熱交換換気装置１００が垂直設置で設置されるときの筐体１の姿勢を第２の姿勢、と称する。
【００１８】
筐体１は、直方体形状を呈する箱体であって、６つの板部１ａ，１ｂ，１ｃ，１ｄ，１ｅ，１ｆから構成されている。第１の板部である板部１ｃは、給気吸込口５と排気吹出口８とが設けられた部分である。第２の板部である板部１ｄは、給気吹出口６と排気吸込口７とが設けられている。筐体１が第１の姿勢であるとき、板部１ｃ，１ｄは、横へ向けられる側面となる部分である。板部１ｃは、筐体１が呈する直方体形状における長手方向のうちの一方の端をなす。板部１ｄは、筐体１が呈する直方体形状における長手方向のうちの他方の端をなす。
【００１９】
第３の板部である板部１ａと、第４の板部である板部１ｂとは、板部１ｃと板部１ｄとの間にて互いに向かい合わせて設けられた部分である。筐体１が第１の姿勢であるとき、板部１ａは、上方へ向けられる天面となる部分である。筐体１が第１の姿勢であるとき、板部１ｂは、下方へ向けられる底面となる部分である。板部１ａと板部１ｂとは、給気吸込口５から熱交換器４を通って給気吹出口６へ向かう給気流の経路である給気風路と、排気吸込口７から熱交換器４を通って排気吹出口８へ向かう排気流の経路である排気風路とを構成する。
【００２０】
第５の板部である板部１ｅと第６の板部である板部１ｆとは、板部１ｃと板部１ａとに垂直な部分であって、かつ板部１ｃと板部１ｄとの間にて互いに向かい合わせて設けられた部分である。筐体１が第１の姿勢であるときに、板部１ｅは、前方へ向けられる正面となる部分である。筐体１が第１の姿勢であるときに、板部１ｆは、後方へ向けられる背面となる部分である。
【００２１】
板部１ｅには、熱交換換気装置１００の全体を制御する制御装置９が設けられている。制御装置９は、給気送風機２の駆動と排気送風機３の駆動との制御により、熱交換換気装置１００の換気風量を制御する。
【００２２】
板部１ｂのうち熱交換器４と対向する位置には、開口１０が形成されている。開口１０の位置は、筐体１が第１の姿勢であるときにおける熱交換器４の下方側の位置である。熱交換換気装置１００が天井裏に水平設置される場合には、天井には、天井よりも下方からの開口１０と制御装置９とへの作業のための点検口１１が設けられる。図１および図２には、点検口１１の範囲を破線によって示している。筐体１内に収容される構成要素は、開口１０を通して着脱可能とされている。
【００２３】
なお、筐体１が第２の姿勢とされた場合には、板部１ｃは底面、板部１ｄは天面、板部１ｂは正面、板部１ａは背面、板部１ｅ，１ｆは側面となる。熱交換換気装置１００が垂直設置とされるケースとして、居室の壁に埋め込まれて設置される場合、あるいは建物の居室以外の機械室あるいは納戸といった室内の壁面に掛けられて設置される場合があり得る。熱交換換気装置１００は、開口１０を正面に向けた状態で掛けられることで、開口１０と制御装置９とへの作業は、正面から点検口１１を介さずに行うことができる。熱交換換気装置１００は、筐体１が第２の姿勢とされることで、点検口１１を介さない作業が可能となりメンテナンス時の作業性を向上できる場合がある。なお、熱交換換気装置１００は、壁に埋め込まれて設置される場合には、壁面に形成された点検口１１を介して開口１０と制御装置９とへの作業が可能とされても良い。
【００２４】
第１のドレン受けであるドレンパン１２は、熱交換器４に対して、筐体１が第１の姿勢であるときの下方に配置されている。ドレンパン１２は、筐体１が第１の姿勢であるときに熱交換器４で生じたドレン水を溜める。ドレンパン１２は、板部１ｂに取り付けられることによって開口１０を塞ぐ。
【００２５】
給気フィルター１３は、筐体１の内部において熱交換器４の板部１ｃ側に配置される。排気フィルター１４は、筐体１の内部において熱交換器４の板部１ｄ側に配置される。
【００２６】
図４は、図１に示す熱交換換気装置１００が有する風路について説明する図である。図４には、筐体１の内部の構成を、筐体１が第１の姿勢とされた場合における下方から見た状態を示している。
【００２７】
熱交換換気装置１００は、熱交換換気と普通換気とを切り換えるダンパー２０を有する。熱交換換気は、給気流１７と排気流１８との間の熱交換を伴う換気である。熱交換換気装置１００は、熱交換換気では、熱交換器４による排気流１８との熱交換を経た給気流１７を室内へ送る。熱交換換気装置１００は、室外より室内のほうが快適な温度である場合に、熱交換換気により室外の空気の温度を室内の空気の温度に近づけることで、空調負担を低減させる。
【００２８】
普通換気は、給気流１７と排気流１８との間の熱交換を伴わない換気である。熱交換換気装置１００は、普通換気では、熱交換器４による排気流１８との熱交換を経ない給気流１７を室内へ送る。熱交換換気装置１００は、室内より室外のほうが快適な温度である場合に、普通換気により快適な温度の空気を室外から室内へ送ることで、室内を快適な温度にするとともに空調負荷を低減させる。また、普通換気では、熱交換器４への排気流１８の通過による圧力損失が抑えられることから、熱交換換気装置１００の消費電力を低減することができる。なお、図４において、排気流１８は、熱交換換気の場合における排気流とする。バイパス気流１９は、普通換気の場合における排気流とする。筐体１には、給気流１７が通過する給気風路１５と、排気流１８とバイパス気流１９とが通過する排気風路１６とが設けられている。
【００２９】
給気風路１５は、給気吸込口５と熱交換器４のうち給気流１７が流入する面との間の上流側風路１５ａと、熱交換器４のうち給気流１７が流出する面と給気吹出口６との間の下流側風路１５ｂとを含む。室外から給気吸込口５へ吸い込まれた給気流１７は、上流側風路１５ａを通り、給気フィルター１３を通過してから熱交換器４へ流入する。熱交換器４から流出した給気流１７は、下流側風路１５ｂを通り、給気吹出口６から室内へ向けて吹き出される。
【００３０】
排気風路１６は、排気吸込口７と熱交換器４のうち排気流１８が流入する面との間の上流側風路１６ａと、熱交換器４のうち排気流１８が流出する面と排気吹出口８との間の下流側風路１６ｂとを含む。室内から排気吸込口７へ吸い込まれた排気流１８は、上流側風路１６ａを通り、排気フィルター１４を通過してから熱交換器４へ流入する。熱交換器４から流出した排気流１８は、下流側風路１６ｂを通り、排気吹出口８から室外へ向けて吹き出される。
【００３１】
バイパス風路２１は、熱交換器４の外に設けられた風路である。上流側風路１６ａには、熱交換器４へ向かう排気流１８が通過する熱交換側開口部２２と、バイパス風路２１へ向かうバイパス気流１９が通過するバイパス側開口部２３とが設けられている。ダンパー２０は、熱交換側開口部２２とバイパス側開口部２３との間にて回動可能に支持されている。切り換え部であるダンパー２０は、排気吸込口７から熱交換器４への排気流１８の流動と排気吸込口７からバイパス風路２１へのバイパス気流１９の流動とを切り換える。制御装置９は、ダンパー２０の動作の制御により、熱交換換気と普通換気との切り換えを制御する。
【００３２】
熱交換換気において、ダンパー２０は、バイパス側開口部２３を塞ぐ。排気流１８は、上流側風路１６ａから熱交換側開口部２２を通過して、熱交換器４へ進行する。一方、普通換気において、ダンパー２０は、熱交換側開口部２２を塞ぐ。バイパス気流１９は、上流側風路１６ａからバイパス側開口部２３を通過して、バイパス風路２１へ進行する。熱交換器４を通過した排気流１８とバイパス風路２１を通過したバイパス気流１９とは、下流側風路１６ｂを通過して排気吹出口８へ進行する。筐体１内に形成された各風路には、結露を生じにくくさせるために、図１に示す断熱部品２７が設けられている。
【００３３】
図５は、図１に示す熱交換換気装置１００が有する熱交換器４の配置について説明する図である。図５には、熱交換換気装置１００からドレンパン１２と給気フィルター１３と排気フィルター１４とが外された状態の斜視図を示している。熱交換器４は、板部１ａとドレンパン１２との間に配置される。熱交換器４は、筐体１内において、筐体１の長手方向における中央に位置する。
【００３４】
熱交換換気装置１００のメンテナンスの際に、ドレンパン１２が開口１０から外されて、給気フィルター１３と排気フィルター１４とが筐体１内から開口１０を通して外される。さらに、熱交換器４と給気送風機２と排気送風機３とが筐体１内から開口１０を通して外される。筐体１が第１の姿勢であるときにおける熱交換器４の直下には、メンテナンスの際における熱交換器４の落下を防ぐための複数の押さえ板２４が設けられている。開口１０からドレンパン１２を取り外し可能としたことで、開口１０を通して熱交換器４と給気送風機２と排気送風機３とを筐体１内から取り出すことができる。
【００３５】
図６は、図１に示す熱交換換気装置１００が有する熱交換器４の第１例を示す斜視図である。第１例にかかる熱交換器４は、四角柱形状をなす。第１例にかかる熱交換器４は、給気流１７の向きと排気流１８の向きとが互いに垂直である直交型の熱交換器である。
【００３６】
熱交換器４は、給気風路１５と排気風路１６との間に設けられている。熱交換器４は、給気流１７と排気流１８との間の全熱交換を行う。熱交換器４は、互いに間隔が設けられて配置された複数の仕切材３０と、複数の仕切材３０の間隔を保持する間隔保持材３１とを備える。熱交換器４は、仕切材３０と間隔保持材３１とを積層させて構成された積層体である。仕切材３０は、平坦に加工されたシート材である。間隔保持材３１は、波形の凹凸が施されたシート材である。仕切材３０と間隔保持材３１とは、互いに接合されている。
【００３７】
熱交換器４は、仕切材３０と間隔保持材３１とを積層させた方向である積層方向を板部１ｅと板部１ｆとに平行にして配置されている。熱交換器４は、積層方向を板部１ｃと板部１ｄとに平行にして配置されても良い。
【００３８】
積層体において、波形の折り目の方向が互いに垂直となるように向きを異ならせた間隔保持材３１が、仕切材３０を介して交互に積層されている。これにより、熱交換器４には、排気流１８が通過する一次通路３２と給気流１７が通過する二次通路３３とが積層方向において交互に設けられている。仕切材３０では、給気流１７と排気流１８とを混合させずに、一次通路３２を通過する排気流１８と二次通路３３を通過する給気流１７との間の顕熱交換と潜熱交換とが行われる。なお、熱交換器４は、顕熱交換と潜熱交換との一方のみを行うものであっても良い。
【００３９】
仕切材３０と間隔保持材３１とには、紙が使用されている。熱交換器４は、仕切材３０と間隔保持材３１とに紙が使用されることによって、製造コストを抑えることができる。紙によって一次通路３２と二次通路３３が構成されていることで、熱交換によって発生した結露水を一次通路３２と二次通路３３とによって保持することができる。また、風路へ進入した結露水が結氷することによる風路の閉塞を低減できる。
【００４０】
図７は、図１に示す熱交換換気装置１００が有する熱交換器４の第２例を示す斜視図である。第２例にかかる熱交換器４は、六角柱形状をなす。第２例にかかる熱交換器４は、給気流１７の向きと排気流１８の向きとを１８０度異ならせた対向流型の熱交換器である。熱交換換気装置１００には、第１例にかかる熱交換器４と第２例にかかる熱交換器４とのどちらが適用されても良い。熱交換器４の形状は、多角柱形状であれば良く、六角柱形状および四角柱形状以外の形状であっても良い。なお、図１には、第２例にかかる熱交換器４を示している。対向流型の熱交換器４が設けられることにより、熱交換換気装置１００は、高い熱交換効率での熱変換を行うことができる。
【００４１】
次に、熱交換換気装置１００におけるドレン水の排出のための構成について説明する。図８は、図３に示すVIII−VIII線における熱交換換気装置１００の断面図である。図８には、水平設置で設置された熱交換換気装置１００を示している。筐体１が第１の姿勢であるとき、図２に示す板部１ｂが下方へ向けられている。第２のドレン受けであるドレンパン３５と第３のドレン受けであるドレンパン３６と第４のドレン受けであるドレンパン３７とは、板部１ｂのうち筐体１内側の面に設けられており、筐体１に収容されている。
【００４２】
ドレンパン３５は、給気風路１５の上流側風路１５ａと排気風路１６の下流側風路１６ｂとのうち、筐体１が第１の姿勢であるときの下方側と筐体１が第２の姿勢であるときの下方側とに配置されている。ドレンパン３５は、上流側風路１５ａと下流側風路１６ｂとにおいてドレン水を保持する。
【００４３】
ドレンパン３６は、排気風路１６の上流側風路１６ａと給気風路１５の下流側風路１５ｂとのうち、筐体１が第１の姿勢であるときの下方側に配置されている。ドレンパン３６は、上流側風路１６ａと下流側風路１５ｂとにおいてドレン水を保持する。
【００４４】
ドレンパン３７は、バイパス風路２１のうち筐体１が第１の姿勢であるときの下方側に配置されている。ドレンパン３７は、バイパス風路２１においてドレン水を保持する。熱交換換気装置１００は、４つのドレンパン１２，３５，３６，３７によってドレン水を保持可能とする。４つのドレンパン１２，３５，３６，３７は、筐体１の外へドレン水を排出させる経路を構成可能に、互いに連結されている。
【００４５】
第１の排水口２５は、筐体１が第１の姿勢であるときの筐体１の下部に位置している。第１の排水口２５は、筐体１内に保持されたドレン水を筐体１の外へ流出させる。第１の排水口２５は、ドレンパン１２のうち給気フィルター１３側の端部１２ａから、筐体１の長手方向に垂直な向きに立てられている。第１の排水口２５は、板部１ｅに対して垂直に立てられている。仮に、第１の排水口２５が筐体１の長手方向に平行な向きとされた場合、第１の排水口２５が給気フィルター１３または排気フィルター１４の着脱の妨げとなることがあり得る。第１の排水口２５が筐体１の長手方向に垂直とされたことで、給気フィルター１３または排気フィルター１４の着脱の妨げとならない態様で第１の排水口２５を配置することができる。
【００４６】
筐体１が第１の姿勢であるときにおいて、第１の排水口２５の高さ位置は、板部１ｂの高さ位置と同等とされている。筐体１が第１の姿勢であるときにおけるできるだけ低い位置に第１の排水口２５が設けられていることで、熱交換換気装置１００は、第１の排水口２５からの排水を促すことができる。
【００４７】
ドレンパン３６とドレンパン３７との境界には、排水経路を構成する排水経路部３８ａが設けられている。排水経路部３８ａは、ドレンパン３６とドレンパン３７とをつなぐとともに、筐体１が第１の姿勢であるときにドレンパン３６のほうがドレンパン３７よりも高い位置となるように形成された部分である。ドレンパン３６に溜められたドレン水は、排水経路部３８ａを通ってドレンパン３７へ流れる。
【００４８】
ドレンパン３７と、ドレンパン１２の端部１２ａとの境界には、排水経路を構成する排水経路部３８ｃが設けられている。排水経路部３８ｃは、ドレンパン３７と端部１２ａとをつなぐとともに、筐体１が第１の姿勢であるときにドレンパン３７のほうが端部１２ａよりも高い位置となるように形成された部分である。ドレンパン３７に溜められたドレン水は、排水経路部３８ｃを通って端部１２ａへ流れる。端部１２ａへ流れたドレン水は、第１の排水口２５から筐体１の外へ排出される。
【００４９】
ドレンパン３５と、ドレンパン１２の端部１２ａとの境界には、排水経路を構成する排水経路部３８ｂが設けられている。排水経路部３８ｂは、給気フィルター１３と板部１ｅとの間に設けられている。排水経路部３８ｂは、ドレンパン３５と端部１２ａとをつなぐとともに、筐体１が第１の姿勢であるときにドレンパン３５のほうが端部１２ａよりも高い位置となるように形成された部分である。ドレンパン３５に溜められたドレン水は、排水経路部３８ｂを通って端部１２ａへ流れる。端部１２ａへ流れたドレン水は、第１の排水口２５から筐体１の外へ排出される。
【００５０】
ドレンパン３５には、上流側風路１５ａと下流側風路１６ｂとの間を仕切る仕切り部３９が形成されている。下流側風路１６ｂで凝縮した水は、仕切り部３９が設けられていることで、上流側風路１５ａで凝縮した水と混在せずに排水経路部３８ｂへ進行する。室外の空気が多湿である場合、霧などによって室外が一時的に多湿状態になったことが想定される。熱交換換気装置１００は、上流側風路１５ａで凝縮した水をドレンパン３５に保持しておき、換気運転によって水を蒸発させても良い。
【００５１】
図９は、図８に示す熱交換換気装置１００が垂直設置で配置された状態を示す図である。図９には、図８に示す断面と同じ断面を示している。筐体１が第２の姿勢であるときに、板部１ｃが下方へ向けられている。第２の排水口２６は、筐体１が第２の姿勢であるときにおける筐体１の下部に位置している。第２の排水口２６は、筐体１内に保持されたドレン水を筐体１の外へ流出させる。第２の排水口２６は、板部１ｃのうちドレンパン３５の隣に設けられている。第２の排水口２６は、板部１ｃに垂直に立てられている。第１の排水口２５が筐体１から立てられている方向と、第２の排水口２６が筐体１から立てられている方向とは、互いに垂直である。
【００５２】
筐体１が第２の姿勢とされたことで、筐体１内で発生したドレン水は、下方へ向かって移動する。ドレン水は、各風路を構成する壁部あるいは各ドレンパン１２，３５，３６，３７を伝って下方へ流れるか、壁部および各ドレンパン１２，３５，３６，３７を離れて下方へ落下する。板部１ｃにまで到達したドレン水は、第２の排水口２６から筐体１の外へ排出される。筐体１内には、板部１ｃにおけるドレン水の漏れを防止するための構成が設けられても良く、ドレンパンが設けられても良い。給気吸込口５と排気吹出口８との筐体１内側の端には、ドレン水を堰き止めるための構成が設けられても良い。これにより、板部１ｃまで到達したドレン水を漏れなく第２の排水口２６から排出することができる。
【００５３】
次に、熱交換換気装置１００が有する第１、第２および第３の取付金具について説明する。図１０は、図１に示す熱交換換気装置１００が有する第１の取付金具５０を示す斜視図である。図１１は、図１０に示す第１の取付金具５０のうち第５の板部である板部１ｅの側の部分を示す拡大図である。図１２は、図１０に示す第１の取付金具５０のうち第６の板部である板部１ｆの側の部分を示す拡大図である。図１３は、図１に示す熱交換換気装置１００が有する第２の取付金具５４および第３の取付金具５５を示す斜視図である。第１の取付金具５０は、筐体１の長手方向における一方の端に装着される。第２の取付金具５４および第３の取付金具５５は、筐体１の長手方向における他方の端に装着される。第２の取付金具５４および第３の取付金具５５は、第１の取付金具５０よりも板部１ｃの側に装着される。
【００５４】
図１０に示すように、第１の取付金具５０の部位５０ａは、板部１ａのうち板部１ｄ側の端に接している。第１の取付金具５０は、部位５０ａから垂直に折り曲げられた２つの部位５０ｂ，５０ｄを有する。部位５０ｂは、板部１ｅに接している。部位５０ｄは、板部１ｆに接している。第１の取付金具５０は、部位５０ｂと部位５０ｄとが筐体１にねじ止めされることによって、筐体１に固定される。
【００５５】
図１１に示すように、部位５０ｂは、板部１ｅに対し垂直に立てられた固定部５１ａを有する。固定部５１ａは、凹部５１ｂを有しておりＵ型を呈する部分であって、先端部が曲げられている。図１２に示すように、部位５０ｄは、板部１ｆに対し垂直に立てられた固定部５２ａを有する。固定部５２ａは、凹部５２ｂを有しており、固定部５１ａと同様に形成されている。第１の固定部である固定部５１ａ，５２ａは、筐体１の姿勢が第１の姿勢とされて熱交換換気装置１００が天吊りにて設置される場合に使用される。
【００５６】
部位５０ａのうち、筐体１の姿勢が第２の姿勢であるときにおける上端には、掛け合わせ部５０ｃが形成されている。掛け合わせ部５０ｃは、筐体１の姿勢が第２の姿勢とされて熱交換換気装置１００が壁掛けによって設置される場合に使用される。
【００５７】
図１０に示す掛け金具５３は、筐体１の姿勢が第２の姿勢であるときに板部１ａと向かい合う構造物である壁に取り付けられる部品である。掛け合わせ部５０ｃは、第１の取付金具５０のうち掛け金具５３に掛け合わせ可能に部位５０ａから突出された部分である。掛け合わせ部５０ｃは、筐体１が第２の姿勢である状態にて、板部１ｄと同じ高さ位置からいったん上方へ延びてから下方へ向かうように折り曲げられている。掛け合わせ部５０ｃのうち、上方へ向けられた折り目よりも下方にある端部は、板部１ａに対して傾斜をなしている。
【００５８】
掛け金具５３には、掛け金具５３の下端から上方へ折り曲げられて突出された突出部５３ａが設けられている。掛け金具５３の掛け合せられた掛け合わせ部５０ｃは、突出部５３ａに接する。掛け金具５３の下端には、２つの孔５３ｂが設けられている。掛け合わせ部５０ｃには、２つの凸部５０ｅが設けられている。凸部５０ｅは、凸部５０ｅの先端へ向かうにしたがい幅が狭くなるテーパ形状をなす。掛け合わせ部５０ｃは、２つの凸部５０ｅの各々が孔５３ｂへ挿入されることで、掛け金具５３に掛け合せられる。
【００５９】
図１３に示すように、第２の取付金具５４は、板部１ｅのうち板部１ｃ側の端に接している。第２の取付金具５４は、板部１ｅにねじ止めされることによって、筐体１に固定される。第２の取付金具５４は、板部１ｅに対し垂直に立てられた固定部５４ａを有する。固定部５４ａは、凹部５４ｂを有しておりＵ型を呈する部分であって、先端部が曲げられている。
【００６０】
第３の取付金具５５は、板部１ｆのうち板部１ｃ側の端に接している。第３の取付金具５５は、板部１ｆにねじ止めされることによって、筐体１に固定される。第３の取付金具５５は、板部１ｆに対し垂直に立てられた固定部５５ａを有する。固定部５５ａは、凹部５５ｂを有しておりＵ型を呈する部分であって、先端部が曲げられている。第２の固定部である固定部５４ａ，５５ａは、筐体１の姿勢が第１の姿勢とされて熱交換換気装置１００が天吊りによって設置される場合に使用される。
【００６１】
第１の取付金具５０と第２の取付金具５４と第３の取付金具５５とは、板金への切削加工と折り曲げ加工とによって形成できる。熱交換換気装置１００は、第１の取付金具５０と第２の取付金具５４と第３の取付金具５５とを用いた水平設置と、第１の取付金具５０を用いた垂直設置とが可能とされている。熱交換換気装置１００は、水平設置と垂直設置とにおいて共通の取付金具である第１の取付金具５０を使用できる。熱交換換気装置１００は、水平設置と垂直設置とで互いに異なる取付金具を要する場合と比べて、部品点数を少なくすることができる。よって、熱交換換気装置１００は、部品点数を少なくできるとともに高い自由度での設置が可能である。
【００６２】
図１４は、図１に示す熱交換換気装置１００が天吊りによって設置された状態を示す正面図である。熱交換換気装置１００は、天井裏の上方に位置する建材６０から吊り下げられている。板部１ａは、建材６０に向い合せられる。建材６０には、寸切りボルトである４つのボルト５７が設けられている。ボルト５７は、ボルト５７の上端部が建材６０に埋め込まれて、建材６０から吊り下げられている部品である。ボルト５７の軸方向は、鉛直方向に一致している。
【００６３】
４つのボルト５７のうちの２つは、板部１ｅに対向する位置に設けられている。４つのボルト５７のうちの他の２つは、板部１ｆに対向する位置に設けられている。図１４では、４つのボルト５７のうち、板部１ｅに対向する２つのボルト５７を示している。
【００６４】
第１の取付金具５０の固定部５１ａは、板部１ｅに対向する２つのボルト５７のうち板部１ｄの側にあるボルト５７に固定可能に突出している。ナット５６は、凹部５１ｂに通されたボルト５７の下方からねじ込まれて、固定部５１ａに締結される。固定部５１ａは、ナット５６の締め付けによってボルト５７に固定される。
【００６５】
図１２に示す固定部５２ａは、板部１ｆに対向する２つのボルト５７のうち板部１ｄの側にあるボルト５７に固定可能に突出している。固定部５２ａは、固定部５１ａと同様に、ナット５６の締め付けによってボルト５７に固定される。
【００６６】
第２の取付金具５４の固定部５４ａは、板部１ｅに対向する２つのボルト５７のうち板部１ｃの側のボルト５７に固定可能に突出している。ナット５６は、凹部５４ｂに通されたボルト５７の下方からねじ込まれて、固定部５４ａに締結される。固定部５４ａは、ナット５６の締め付けによってボルト５７に固定される。
【００６７】
図１３に示す第３の取付金具５５の固定部５５ａは、板部１ｅに対向する２つのボルト５７のうち板部１ｃの側のボルト５７に固定可能に突出している。ナット５６は、凹部５５ｂに通されたボルト５７の下方からねじ込まれて、固定部５５ａに締結される。固定部５５ａは、ナット５６の締め付けによってボルト５７に固定される。
【００６８】
このように、熱交換換気装置１００は、４箇所の固定部５１ａ，５２ａ，５４ａ，５５ａの各々がボルト５７に固定されることによって、建材６０から吊り下げられて設置される。建材６０に対する筐体１の傾きは、各固定部５１ａ，５２ａ，５４ａ，５５ａにおけるナット５６の締め込み度合いを変えることによって調整される。
【００６９】
熱交換換気装置１００は、板部１ｆの側から板部１ｅの側へ向かうにつれて下方へ向かうように筐体１が傾けられることによって、第１の排水口２５からのドレン水の排出を促すことができる。熱交換換気装置１００は、ナット５６の締め込みによって筐体１の傾きを調整できることから、ドレン水の排出を促すことができる設置を容易に実現できる。
【００７０】
図１５は、図１に示す熱交換換気装置１００が壁掛けによって設置された状態を示す側面図である。掛け金具５３は、壁面６１に固定されている。熱交換換気装置１００は、掛け合わせ部５０ｃが掛け金具５３に掛け合せられることにより、壁面６１に掛けられて設置される。板部１ａは、壁面６１に向い合せられる。
【００７１】
掛け金具５３の突出部５３ａへ上方から第１の取付金具５０の掛け合わせ部５０ｃを接触させることにより、掛け金具５３に掛け合わせ部５０ｃが掛け合せられる。掛け合わせ部５０ｃに傾斜が施されていることにより、掛け金具５３に掛け合わせ部５０ｃが掛け合せられることにより、筐体１は、板部１ｂの側が下がるように傾けられる。熱交換換気装置１００は、水平器などを用いた傾きの微調整を行わなくても、所望とする傾きで設置することができる。また、熱交換換気装置１００の設置の際に、熱交換換気装置１００に傾斜を施すことが忘れられるという事態を防ぐこともできる。
【００７２】
熱交換換気装置１００は、板部１ａの側から板部１ｂの側へ向かうにつれて下方へ向かうように筐体１が傾けられることによって、第２の排水口２６からのドレン水の排出を促すことができる。熱交換換気装置１００は、掛け合わせ部５０ｃの折り曲げ形状によって筐体１に傾きを持たせることができることから、ドレン水の排出を促すことができる設置を容易に実現できる。
【００７３】
凸部５０ｅがテーパ形状とされていることで、掛け金具５３の孔５３ｂに到達した凸部５０ｅを孔５３ｂへ容易に挿入することができる。２つの凸部５０ｅの各々が孔５３ｂへ挿入されることで、掛け金具５３へ第１の取付金具５０が正しく掛け合せられて、熱交換換気装置１００が位置決めされる。下方から持ち上げられた熱交換換気装置１００を壁面６１に設置する際に、掛け金具５３と掛け合わせ部５０ｃとを目視できない場合でも、孔５３ｂへの凸部５０ｅの挿入によって、熱交換換気装置１００の位置決めを簡単に行うことができる。
【００７４】
実施の形態１によると、熱交換換気装置１００は、第１の取付金具５０と第２の取付金具５４と第３の取付金具５５とを備えることで、第１の姿勢と第２の姿勢とのどちらの筐体１にも、ドレン水の排出を促し得る傾斜を容易に持たせることができる。これにより、熱交換換気装置１００は、水平設置と垂直設置とのどちらが選択された場合もドレン水の排出を促すことができる設置を容易に実現できるという効果を奏する。
【００７５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７６】
１  筐体、１ａ，１ｂ，１ｃ，１ｄ，１ｅ，１ｆ  板部、２  給気送風機、３  排気送風機、４  熱交換器、５  給気吸込口、６  給気吹出口、７  排気吸込口、８  排気吹出口、９  制御装置、１０  開口、１１  点検口、１２，３５，３６，３７  ドレンパン、１２ａ  端部、１３  給気フィルター、１４  排気フィルター、１５  給気風路、１５ａ，１６ａ  上流側風路、１５ｂ，１６ｂ  下流側風路、１６  排気風路、１７  給気流、１８  排気流、１９  バイパス気流、２０  ダンパー、２１  バイパス風路、２２  熱交換側開口部、２３  バイパス側開口部、２４  押さえ板、２５  第１の排水口、２６  第２の排水口、２７  断熱部品、３０  仕切材、３１  間隔保持材、３２  一次通路、３３  二次通路、３８ａ，３８ｂ，３８ｃ  排水経路部、３９  仕切り部、５０  第１の取付金具、５０ａ，５０ｂ，５０ｄ  部位、５０ｃ  掛け合わせ部、５０ｅ  凸部、５１ａ，５２ａ，５４ａ，５５ａ  固定部、５１ｂ，５２ｂ，５４ｂ，５５ｂ  凹部、５３  掛け金具、５４  第２の取付金具、５５  第３の取付金具、５６  ナット、５７  ボルト、６０  建材、６１  壁面、１００  熱交換換気装置。
【図１】
2019234873.tif 000003
【図２】
2019234873.tif 000004
【図３】
2019234873.tif 000005
【図４】
2019234873.tif 000006
【図５】
2019234873.tif 000007
【図６】
2019234873.tif 000008
【図７】
2019234873.tif 000009
【図８】
2019234873.tif 000010
【図９】
2019234873.tif 000011
【図１０】
2019234873.tif 000012
【図１１】
2019234873.tif 000013
【図１２】
2019234873.tif 000014
【図１３】
2019234873.tif 000015
【図１４】
2019234873.tif 000016
【図１５】
2019234873.tif 000017
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
給気流と排気流との熱交換を行う熱交換換気装置であって、
給気吸込口と排気吹出口とが設けられた第１の板部と、前記第１の板部と向かい合う第２の板部と、前記給気吸込口から給気吹出口へ向かう前記給気流の経路である給気風路と排気吸込口から前記排気吹出口へ向かう前記排気流の経路である排気風路とを構成するとともに互いに向かい合う第３の板部および第４の板部と、を有する筐体と、
前記筐体の姿勢が前記第３の板部を上方へ向けた第１の姿勢であるときに前記第３の板部と向かい合う構造物から吊り下げられている部品に固定可能に突出された第１の固定部と、前記筐体の姿勢が前記第２の板部を上方へ向けた第２の姿勢であるときに前記第３の板部と向かい合う構造物に取り付けられている部品に掛け合わせ可能に突出された掛け合わせ部と、を有する第１の取付金具と、
前記第１の取付金具よりも前記第１の板部の側に装着され、前記筐体の姿勢が前記第１の姿勢であるときに前記第３の板部と向かい合う構造物から吊り下げられている部品に固定可能に突出された第２の固定部を有する第２の取付金具および第３の取付金具と、
を備えることを特徴とする熱交換換気装置。
【請求項２】
前記筐体は、前記第１の板部と前記第３の板部とに垂直かつ互いに向かい合う第５の板部と第６の板部とを有し、
前記第１の取付金具は、２つの前記第１の固定部を有し、２つの前記第１の固定部のうちの一方が前記第５の板部に対し垂直に立てられており、かつ２つの前記第１の固定部のうちの他方が前記第６の板部に対し垂直に立てられており、
前記第２の取付金具は、前記第５の板部に対し垂直に立てられた前記第２の固定部を有し、
前記第３の取付金具は、前記第６の板部に対し垂直に立てられた前記第２の固定部を有することを特徴とする請求項１に記載の熱交換換気装置。
【請求項３】
前記第５の板部に対して垂直に立てられ、前記筐体の姿勢が前記第１の姿勢であるときに前記筐体の外へドレン水を排出させる第１の排水口と、
前記第１の板部に対して垂直に立てられ、前記筐体の姿勢が前記第２の姿勢であるときに前記筐体の外へドレン水を排出させる第２の排水口と、
を備えることを特徴とする請求項２に記載の熱交換換気装置。
【請求項４】
前記掛け合わせ部は、前記筐体が前記第２の姿勢である状態にて前記第２の板部の高さからいったん上方へ延びてから下方へ向かうように折り曲げられており、かつ前記第３の板部に対して傾斜をなしていることを特徴とする請求項１から３のいずれか１つに記載の熱交換換気装置。
【請求項５】
前記掛け合わせ部には、前記第３の板部と向かい合う構造物に取り付けられた前記部品に設けられている孔へ挿入される凸部が設けられており、
前記凸部は、前記凸部の先端へ向かうにしたがい幅が狭くなるテーパ形状をなしていることを特徴とする請求項１から４のいずれか１つに記載の熱交換換気装置。
【手続補正２】
【補正対象書類名】明細書
【補正対象項目名】０００９
【補正方法】変更
【補正の内容】
【０００９】
上述した課題を解決し、目的を達成するために、本発明にかかる熱交換換気装置は、給気流と排気流との熱交換を行う。本発明にかかる熱交換換気装置は、給気吸込口と排気吹出口とが設けられた第１の板部と、第１の板部と向かい合う第２の板部と、給気吸込口から給気吹出口へ向かう給気流の経路である給気風路と排気吸込口から排気吹出口へ向かう排気流の経路である排気風路とを構成するとともに互いに向かい合う第３の板部および第４の板部と、を有する筐体を備える。本発明にかかる熱交換換気装置は、筐体の姿勢が第３の板部を上方へ向けた第１の姿勢であるときに第３の板部と向かい合う構造物から吊り下げられている部品に固定可能に突出された第１の固定部と、筐体の姿勢が第２の板部を上方へ向けた第２の姿勢であるときに第３の板部と向かい合う構造物に取り付けられている部品に掛け合わせ可能に突出された掛け合わせ部と、を有する第１の取付金具と、第１の取付金具よりも第１の板部の側に装着され、筐体の姿勢が第１の姿勢であるときに第３の板部と向かい合う構造物から吊り下げられている部品に固定可能に突出された第２の固定部を有する第２の取付金具および第３の取付金具と、を備える。
【手続補正３】
【補正対象書類名】明細書
【補正対象項目名】００７６
【補正方法】変更
【補正の内容】
【００７６】
１  筐体、１ａ，１ｂ，１ｃ，１ｄ，１ｅ，１ｆ  板部、２  給気送風機、３  排気送風機、４  熱交換器、５  給気吸込口、６  給気吹出口、７  排気吸込口、８  排気吹出口、９  制御装置、１０  開口、１１  点検口、１２，３５，３６，３７  ドレンパン、１２ａ  端部、１３  給気フィルター、１４  排気フィルター、１５  給気風路、１５ａ，１６ａ  上流側風路、１５ｂ，１６ｂ  下流側風路、１６  排気風路、１７  給気流、１８  排気流、１９  バイパス気流、２０  ダンパー、２１  バイパス風路、２２  熱交換側開口部、２３  バイパス側開口部、２４  押さえ板、２５  第１の排水口、２６  第２の排水口、２７  断熱部品、３０  仕切材、３１  間隔保持材、３２  一次通路、３３  二次通路、３８ａ，３８ｂ，３８ｃ  排水経路部、３９  仕切り部、５０  第１の取付金具、５０ａ，５０ｂ，５０ｄ  部位、５０ｃ  掛け合わせ部、５０ｅ  凸部、５１ａ，５２ａ，５４ａ，５５ａ  固定部、５１ｂ，５２ｂ，５４ｂ，５５ｂ  凹部、５３  掛け金具、５３ａ  突出部、５３ｂ  孔、５４  第２の取付金具、５５  第３の取付金具、５６  ナット、５７  ボルト、６０  建材、６１  壁面、１００  熱交換換気装置。
【国際調査報告】
2019234873.tif 000018
2019234873.tif 000019
2019234873.tif 000020
2019234873.tif 000021